(57)【特許請求の範囲】
【請求項１】
前面が開口するディスク駆動空間を有し、該ディスク駆動空間内に制御回路基板が配設された箱状の装置筺体と、前記開口を介して前記装置筺体に対し進入退出自在に支持され、光ディスクをディスク載置位置とディスク駆動位置との間で搬送するディスクトレイと、前記装置筺体内に屈曲させて伸縮可能に収容され、前記ディスクトレイと前記制御回路基板とを接続するフレキシブル基板と、ディスクトレイに変位可能に設けられ、該ディスクトレイの前記装置筺体からの退出時に該退出動作に連動してトレイに対してトレイの移動方向と反対に変位し、該変位とともに該フレキシブル基板を押圧して弛みを防止する部材とを具備することを特徴とする光ディスク装置。
【請求項２】
前記フレキシブル基板を押圧して弛みを防止する部材は、前記ディスクトレイの装置筺体からの進入退出動作に連動してトレイに対してトレイの移動方向と反対方向に回動する腕を備えたワイパー部材であることを特徴とする請求項１記載の光ディスク装置。
【請求項３】
前記フレキシブル基板を押圧して弛みを防止する部材の進路上に配設され、前記ディスクトレイの進入退出動作に合わせ前記フレキシブル基板を押圧して弛みを防止する部材を機械的に案内する案内部材を具備することを特徴とする請求項１記載の光ディスク装置。
【発明の詳細な説明】
【０００１】
【発明の属する技術分野】
本発明は、装置筺体に対するディスクトレイの進退動作時に、ディスクトレイ側と装置筺体側を電気的に接続するフレキシブル基板に対しワイパー部材を作用させ、フレキシブル基板の暴れ或いは噛み込み等を防止するようにした光ディスク装置に関する。
【０００２】
【従来の技術】
ＣＤ−ＲＯＭやＣＤ−Ｒ／ＲＷ或いはＤＶＤ−ＲＯＭやＤＶＤ−ＲＡＭといった光ディスクの円盤状態記録媒体を再生或いは記録する光ディスク装置は、携帯用パーソナルコンピュータ等への組み込みを考慮してスペース効率を高める必要性があり、小型で薄型のものが開発されている。図４は、従来の光ディスク装置の一例を底面側から見て示す斜視図である。同図に示した光ディスク装置１は、前面が開口する偏平な箱形状をなす装置筺体２を有しており、この装置筺体２の内外に進退自在に組み込まれたディスクトレイ３が、光ディスク４をディスク装着位置とディスク駆動位置との間で案内するようになっている。ディスクトレイ３の前面部には、ディスク駆動位置にロックされたディスクトレイ３を手動ロック解除するための押し釦５が備わっている。また、装置筺体２内には、制御回路基板６が備わっており、この制御回路基板６とディスクトレイ３とを結ぶフレキシブル基板７が、ディスクトレイ３の引き出し距離（退出距離）に見合った弛み余裕部分を二重に重ね合わせるようにして折り込まれている。
【０００３】
光ディスク４を再生するためディスクトレイ３前面部の押し釦５を押すと、ディスクトレイ３に対するロックが解除され、ディスクトレイ３の前縁部が装置筺体２の前方に僅かに突出する。そこで、この突出部分を親指と人差し指で挟み、そのまま手前側に引くようにしてディスクトレイ３を外部に引き出すことができる。図５に示したように、ディスクトレイ３を最も突出する位置（ディスク装着位置）まで引き出すと、ディスクトレイ３の上方に光ディスク４を載せるための空間が開ける。同図は、ディスクトレイ３を底面側から見た斜視図であるため、光ディスク４をクランプするためのディスククランパや、光ディスク４の信号記録面を走査して記録信号を読み取る光ピックアップ、或いは光ディスク４を回転駆動するディスクモータ等は図示されないが、装置の小型・薄型化を徹底するため、これらの主要構成部分はすべてディスクトレイ３に一体的に組み込まれている。このため、前述の制御回路基板６とディスクトレイ３を結ぶフレキシブル基板７には、ディスクモータや光ピックアップのための電源供給線や制御信号線或いは光ピックアップが光ディスク４から読み取った読み取り信号を転送する信号線等が配設されており、ディスクトレイ３の退出動作に合わせて伸長しながら装置筺体２外に引き出される。
【０００４】
光ディスク４は、センターホールをディスククランパに係合ラッチさせてディスクトレイ３上に装着される。その後、ディスクトレイ３の前縁部を指先で押しながらディスクトレイ３を装置筺体２内部に押し込むと、光ディスク４は装置筺体２内のディスク駆動位置に至る。本例では、光ディスク４をディスク装着位置から装置筺体２内のディスク駆動位置に搬送案内するため、装置筺体２の左右の内側面にそれぞれレールガイド８が形成してあり、このレールガイド８に沿って案内されるガイドレール９にディスクトレイ３の両側縁部が係合案内されるよう構成してある。なお、ガイドレール９自体もディスクトレイ３に連動して装置筺体２内外を進退するようになっており、その移動距離はディスクトレイ３の搬送距離の１／２程に設定されている。
【０００５】
【発明が解決しようとする課題】
上記従来の光ディスク装置１は、ディスクトレイ３をディスク駆動位置からディスク装着位置まで引き出し、光ディスク４をディスクトレイ３上にクランプしてディスク装着位置からディスク駆動位置まで押し込むときに、フレキシブル基板７はディスクトレイ３の進入動作に合わせ二重に折り返しながら屈曲させて装置筺体２内に収容する構成であり、このためディスクトレイ３を装置筺体２外に引き出す際に、例えば装置筺体２の天井内壁部から受ける摩擦力が災いし、図６に示したように、フレキシブル基板７が装置筺体２の外部に多少弛んでしまうことがあった。しかしながら、ディスクトレイ３の上からはフレキシブル基板７の状態を見ることはできないため、フレキシブル基板７が弛んでいるにも拘わらず、多少乱暴にディスクトレイ３を押し込んだりすると、フレキシブル基板７が装置筺体２内部で正規に折り曲がらず、図７に示したように、装置筺体２の開口部に引っ掛かってその手前側に弛みを形成してしまい、開口部の外側にはみ出てしまうことがあった。こうした場合、ディスクトレイ３を正規のディスク駆動位置まで進入させることは物理的に不可能であり、しかも大半のユーザはこうした不具合に気づかないため、フレキシブル基板７が引っ掛かったまま無理にディスクトレイ３を収容しようとしてしまい、フレキシブル基板７を損傷しかねない等の課題を抱えるものであった。
【０００６】
本発明は、上記課題を解決したものであり、ディスクトレイの装置筺体内への進入時にフレキシブル基板の挟み込みを防止し、安全で確実なローディング動作を約束することを目的とするものである。
【０００７】
【課題を解決するための手段】
上記目的を達成するため、本発明は、前面が開口するディスク駆動空間を有し、該ディスク駆動空間内に制御回路基板が配設された箱状の装置筺体と、前記開口を介して前記装置筺体に対し進入退出自在に支持され、光ディスクをディスク載置位置とディスク駆動位置との間で搬送するディスクトレイと、前記装置筺体内に屈曲させて伸縮可能に収容され、前記ディスクトレイと前記制御回路基板とを接続するフレキシブル基板と、ディスクトレイに変位可能に設けられ、該ディスクトレイの前記装置筺体からの退出時に該退出動作に連動してトレイに対してトレイの移動方向と反対に変位し、該変位とともに該フレキシブル基板を押圧して弛みを防止する部材とを具備することを特徴とするものである。
【０００８】
また、本発明は、前記フレキシブル基板を押圧して弛みを防止する部材は、前記ディスクトレイの装置筺体からの進入退出動作に連動してトレイに対してトレイの移動方向と反対方向に回動する腕を備えたワイパー部材であることを特徴とするものである。
また、本発明は、前記フレキシブル基板を押圧して弛みを防止する部材の進路上に配設され、前記ディスクトレイの進入退出動作に合わせ前記フレキシブル基板を押圧して弛みを防止する部材を機械的に案内する案内部材を具備することを特徴とするものである。
【０００９】
【発明の実施形態】
以下、本発明の実施形態を図１ないし図３を参照して説明する。図１は、本発明の光ディスク装置の一実施形態を底面側から見て示す斜視図、図２は、図１に示したワイパー部材の断面図、図３は、図１に示したワイパー部材の動作を説明するための底面図である。
【００１０】
図１に示す光ディスク装置１１は、フレキシブル基板７の底面を均してはみ出しを防止するワイパー部材１２を、ディスクトレイ３に変位可能に設けるとともに、このワイパー部材１２の進路上に案内部材１３を配設し、ディスクトレイ３の進入退出動作に合わせワイパー部材１２を機械的に案内する構成としたものである。本実施形態に示すワイパー部材１２は、短腕部１２ａと長腕部１２ｂを互いに１２０度程度の角度をなして一体成形したものであり、短腕部１２ａと長腕部１２ｂの接続部分を支軸１４に回動自在に支持してディスクトレイ３に組み付けてある。この支軸１４は、図２に示すように、ディスクトレイ３の底面部の下面側に植設されたボス部１５の中央部分に一体的に突設されている。ボス部１５の周囲に嵌装した捩りばね１６は、ワイパー部材１２を図３中反時計方向に付勢している。また、本実施形態に示した案内部材１３は、装置筺体２の内側壁に沿って配設されており、ワイパー部材１２の短腕部１２ａの先端を円弧面に沿って内側に案内する湾曲案内面１３ａを有する。
【００１１】
ワイパー部材１２は、ディスクトレイ３の装置筺体２からの退出時に該退出動作に連動して長腕部１２ｂがフレキシブル基板７と斜交する位置へと変位し、この変位とともにフレキシブル基板７の表面を均して弛みを防止する働きをする。また、ディスクトレイ３の装置筺体２への進入時には、この進入動作に連動して長腕部１２ｂがフレキシブル基板７と直交する位置へと変位し、フレキシブル基板７のディスク駆動空間内への収容を円滑化する働きをする。
【００１２】
より詳しくは、ディスクトレイ３の装置筺体２からの退出時に、ワイパー部材１２の短腕部１２ａの先端が案内部材１３の湾曲案内面１３ａに降下案内され、捩りばね１６の付勢力によりワイパー部材１２は図３中反時計方向に回動する。これにより、それまで図３中点線で示す位置にあった長腕部１２ｂがフレキシブル基板７の下面を均すようにして回動変位し、フレキシブル基板７の弛みを防止する。かくして、フレキシブル基板７は長腕部１２ｂにより下面を均されながらディスクトレイ３とともにディスク装着位置に向けて伸長する。
【００１３】
ディスク装着位置において光ディスク４を装着した後、ディスクトレイ３をディスク駆動位置に向けて押し込むと、このときのディスクトレイ３の装置筺体２への進入動作に合わせ、ワイパー部材１２の短腕部１２ａの先端が案内部材１３の湾曲案内面１３ａに上昇案内される。すなわち、ワイパー部材１２は、捩りばね１６の付勢力に抗して図３中時計方向に回動する。これにより、それまで図３の実線で示す位置にあった長腕部１２ｂが点線で示す位置へと回動変位する。かくして、フレキシブル基板７は長腕部１２ｂが下から手を添えるようにして装置筺体２内へと送り込まれ、ディスクトレイ３とともにディスク駆動位置へと折り返し収容される。
【００１４】
このように、上記光ディスク装置１１によれば、ディスクトレイ３が装置筺体２から退出する際にワイパー部材１２がフレキシブル基板７を押圧して弛みを防止することができ、このためディスク装着位置からディスク駆動位置へとディスクトレイ３を進入させる際に、例えば従来の光ディスク装置１のように、フレキシブル基板７がめくれ上がってしまって、装置筺体２の前面開口からはみ出てしまうといったことはない。従って、ディスクトレイ３が装置筺体内に完全に収容できなかったり、或いはフレキシブル基板７がはみ出ていることに気づかずに無理にディスクトレイ３を収容しようとしてフレキシブル基板７を損傷してしまうといったことはなく、ディスクトレイ３のディスク駆動位置への円滑な案内とフレキシブル基板７の保護を図ることができる。
【００１５】
また、ワイパー部材１２の進路上に案内部材１３を配設し、ディスクトレイ３の進入退出動作に合わせワイパー部材１２を機械的に案内する構成としたから、ワイパー部材１２を駆動するためだけの特別な駆動手段は一切不要であり、ディスクトレイ３の進入退出動作に合わせて変位するワイパー部材１２を、案内部材１３が繰り返し同じ変位パターンに従って機械的に案内することで、フレキシブル基板７を安全かつ確実に装置筺体２内に案内することができる。
【００１６】
【発明の効果】
以上説明したように、本発明によれば、ディスクトレイに変位可能に設けたワイパー部材が、ディスクトレイの装置筺体からの退出時に該退出動作に連動し、ディスクトレイと制御回路基板を結ぶフレキシブル基板の表面を均す構成としたから、ディスクトレイが装置筺体から退出する際にワイパー部材がフレキシブル基板を押圧して弛みを防止することができ、これによりディスク装着位置からディスク駆動位置へとディスクトレイを進入させる際に、従来の光ディスク装置のように、フレキシブル基板がめくれ上がってしまって、装置筺体の前面開口からはみ出てしまうといったことはなく、従ってディスクトレイが装置筺体内に完全に収容できなかったり、或いはフレキシブル基板がはみ出ていることに気づかずに無理にディスクトレイを収容しようとしてフレキシブル基板を損傷してしまうといったことはなく、ディスクトレイのディスク駆動位置への円滑な案内とフレキシブル基板の保護を図ることができる等の優れた効果を奏する。
【００１７】
また、本発明は、ワイパー部材の進路上に案内部材を配設し、ディスクトレイの進入退出動作に合わせワイパー部材を機械的に案内する構成としたから、ワイパー部材を駆動するためだけの特別な駆動手段は一切不要であり、ディスクトレイの進入退出動作に合わせて変位するワイパー部材を、案内部材が繰り返し同じ変位パターンに従って機械的に案内することで、フレキシブル基板を安全かつ確実に装置筺体内に案内することができる等の効果を奏する。
【図面の簡単な説明】
【図１】本発明の光ディスク装置の一実施形態を底面側から見て示す斜視図である。
【図２】図１に示したワイパー部材の断面図である。
【図３】図１に示したワイパー部材の動作を説明するための底面図である。
【図４】従来の光ディスク装置の一例を底面側から見て示す斜視図である。
【図５】図４に示した光ディスク装置をディスクトレイ引き出し状態において示す斜視図である。
【図６】図４に示した光ディスク装置のディスクトレイ退出時の状態を示す側面図である。
【図７】図４に示した光ディスク装置のディスクトレイ進入時の状態を示す側面図である。
【符号の説明】
１  光ディスク装置
２  装置筺体
３  ディスクトレイ
４  光ディスク
５  押し釦
６  制御回路基板
７  フレキシブル基板
８  レールガイド
９  ガイドレール
１１  光ディスク装置
１２  ワイパー部材
１２ａ  短腕部
１２ｂ  長腕部
１３  案内部材
１３ａ  湾曲案内面
１４  支軸
１５  ボス部
１６  捩りばね
【図１】
0003591370.tif 000002
【図２】
0003591370.tif 000003
【図３】
0003591370.tif 000004
【図４】
0003591370.tif 000005
【図５】
0003591370.tif 000006
【図６】
0003591370.tif 000007
【図７】
0003591370.tif 000008